(57)【要約】【課題】フレキシブル平面配線材を回路基板に簡便に接続することができ、フレキシブル平面配線材と回路基板との接続作業を効率的に行うことが可能なフレキシブル平面配線材の取付構造およびそれを用いた光ピックアップ装置を提供する。【解決手段】ハウジング２００の上面に突起２０５が形成され、突起２０５に、回路基板３００の孔３０４が挿入され、さらに、ＦＰＣ４００の孔４０３が圧入される。孔４０３が突起２０５に圧入されることにより、ＦＰＣ４００の端部４０１が仮止めされる。この状態で、ＦＰＣ４００の端部４０１に配された電極４０２と回路基板３００側の電極３０５とが半田付けされる。これにより、ＦＰＣ４００が回路基板３００に接続される。【選択図】図７
2015026401.tif 000002
【特許請求の範囲】
【請求項１】
ハウジングに固定され、上面に第１の電極が設けられた回路基板と、
フレキシブル平面配線材の端部に配置され、前記第１の電極に接続される第２の電極と、
前記フレキシブル平面配線材の前記端部に設けられ、前記ハウジングから突出する突起が圧入される第１の孔と、を備え、
前記第１の孔は、前記突起が圧入されるよう、前記突起よりも所定方向の幅が小さくなっており、前記第１の孔が前記突起に圧入されて前記フレキシブル平面配線材の前記端部が前記回路基板上に載置されると、前記第１の電極と前記第２の電極が互いに向き合うような位置に配置されている、
ことを特徴とするフレキシブル平面配線材の取付構造。
【請求項２】
請求項１に記載のフレキシブル平面配線材の取付構造において、
前記回路基板に設けられ、前記突起が挿入される第２の孔をさらに備え、
前記突起が前記第２の孔に挿入された後に、前記突起が前記第１の孔に圧入される、
ことを特徴とするフレキシブル平面配線材の取付構造。
【請求項３】
請求項２に記載のフレキシブル平面配線材の取付構造において、
前記突起は、前記回路基板を位置決めするために前記ハウジングに配置され、
前記突起が前記第２の孔に係合することにより、前記回路基板が前記ハウジングに対して位置決めされる、
ことを特徴とするフレキシブル平面配線材の取付構造。
【請求項４】
請求項１ないし３の何れか一項に記載のフレキシブル平面配線材の取付構造において、
前記突起は、円柱形状を有し、
前記ハウジングは、前記突起を中心とした前記フレキシブル平面配線材の回転を規制するための規制部を有する、
ことを特徴とするフレキシブル平面配線材の取付構造。
【請求項５】
請求項４に記載のフレキシブル平面配線材の取付構造において、
前記規制部は、前記フレキシブル平面配線材を幅方向に挟む突部を有し、
前記突部は、前記フレキシブル平面配線材の他端に接続される電気部品を前記ハウジングの裏面にネジ留めするためのボスである、
ことを特徴とするフレキシブル平面配線材の取付構造。
【請求項６】
請求項１ないし５の何れか一項に記載のフレキシブル平面配線材の取付構造において、
前記ハウジングの上面に、前記フレキシブル平面配線材が載置され、前記フレキシブル平面配線材の高さを前記回路基板の高さに揃えるための台部が配されている、
ことを特徴とするフレキシブル平面配線材の取付構造。
【請求項７】
請求項１ないし６の何れか一項に記載のフレキシブル平面配線材の取付構造において、
前記突起の天面の幅が前記第１の孔よりも小さくなるように、前記突起の端部に傾斜面が形成されている、
ことを特徴とするフレキシブル平面配線材の取付構造。
【請求項８】
ハウジングに固定され、上面に第１の電極が設けられた回路基板と、
フレキシブル平面配線材の端部に配置され、前記第１の電極に接続される第２の電極と、
前記ハウジングに配置され、前記ハウジングに部品を設置するためのボスと、
前記ハウジングに配置され、前記ボスに対向する突部と、を備え、
前記ボスと前記突部の間隔が、前記フレキシブル平面配線材の幅に対応する間隔に設定され、
前記フレキシブル平面配線材を前記ボスと前記突部との間に挿入して、前記端部が前記回路基板に載置されると、前記第１の電極と前記第２の電極が互いに向き合うように、前記フレキシブル平面配線材の平面方向の移動が規制される、
ことを特徴とするフレキシブル平面配線材の取付構造。
【請求項９】
ハウジングの上面に固定され、上面に第１の電極が設けられた回路基板と、
フレキシブル平面配線材の端部に配置され、前記第１の電極に接続される第２の電極と、
前記ハウジングに設けられ、前記フレキシブル平面配線材が通されることにより、前記フレキシブル平面配線材を、前記ハウジングの裏面側に設置される電気部品へと導く長孔と、
前記ハウジングの上面の、前記長孔から前記回路基板側に変位した位置に、前記長孔の長辺に沿うように設けられ、前記ハウジングの裏面側から前記長孔を通って前記回路基板へと向かう前記フレキシブル平面配線材を、前記長孔の前記回路基板側の角から離れるように持ち上げる台部と、を有する、
ことを特徴とするフレキシブル平面配線材の取付構造。
【請求項１０】
ハウジングの上面に固定され、上面に第１の電極が設けられた回路基板と、
フレキシブル平面配線材の端部に配置され、前記第１の電極に接続される第２の電極と、
前記ハウジングに設けられ、前記フレキシブル平面配線材が通されることにより、前記フレキシブル平面配線材を、前記ハウジングの裏面側に設置される電気部品へと導く長孔と、
前記ハウジングの上面の、前記長孔から前記回路基板へと向かう径路上に設けられ、前記ハウジングの裏面側から前記長孔を通って前記回路基板へと向かう前記フレキシブル平面配線材の前記端部の高さを、前記ハウジングの上面に固定された前記回路基板の上面の高さに揃えるよう、前記フレキシブル平面配線材を持ち上げる台部と、を有する、
ことを特徴とするフレキシブル平面配線材の取付構造。
【請求項１１】
請求項１ないし１０の何れか一項に記載のフレキシブル平面配線材の取付構造と、
レーザ光源と、
前記レーザ光源から出射されたレーザ光をディスク上に収束させる対物レンズと、
前記レーザ光源から出射されたレーザ光の収差を補正するためのレンズを光軸方向に駆動するためのレンズアクチュエータと、
前記レンズアクチュエータを駆動するモータと、を備え、
前記フレキシブル平面配線材の他端に前記モータが接続される、  
を有することを特徴とする光ピックアップ装置。
【発明の詳細な説明】
【技術分野】
【０００１】
本発明は、フレキシブルプリント基板（FPC：Flexible Printed Circuits）やフレキシブルフラットケーブル（FFC：Flexible Flat Cable）等のフレキシブル平面配線材の取付構造およびそれを用いた光ピックアップ装置に関する。
【背景技術】
【０００２】
従来、フレキシブル平面配線材が種々の装置において用いられている。フレキシブル平面配線材は、たとえば、電気部品と回路基板とを電気的に接続するために用いられる。たとえば、光ピックアップ装置では、収差補正用のレンズを光軸方向に駆動するためにモータが用いられ、このモータと、光ピックアップ装置の回路基板とを接続するためにフレキシブル平面配線材が用いられる。
【０００３】
フレキシブル平面配線材の回路基板に対する接続は、コネクタによる接続の他、半田により、フレキシブル平面配線材の電極と回路基板の電極とを直接接続する方法が用いられる。この場合、半田付け作業を円滑に進めるために、フレキシブル平面配線材が回路基板に仮止めされる。この仮止めは、たとえば、両面テープを用いて行われ得る（たとえば、特許文献１参照）。
【先行技術文献】
【特許文献】
【０００４】
【特許文献１】特開２０１０−１０３２８１号公報
【発明の概要】
【発明が解決しようとする課題】
【０００５】
しかしながら、上記の方法によれば、両面テープを貼り付けるといった煩雑な作業が必要となり、作業効率が良好ではない。また、装置の修理等においてフレキシブル平面配線材を回路基板から取り外すと、再度、両面テープを貼り付けなければならない場合もあり、ここでも作業性の低下を招く。
【０００６】
本発明は、フレキシブル平面配線材を回路基板に簡便に接続することができ、フレキシブル平面配線材と回路基板との接続作業を効率的に行うことが可能なフレキシブル平面配線材の取付構造およびそれを用いた光ピックアップ装置を提供することを目的とする。
【課題を解決するための手段】
【０００７】
本発明の第１の態様は、フレキシブル平面配線材を回路基板に取り付けるための取付構造に関する。本態様に係る取付構造は、ハウジングに固定され、上面に第１の電極が設けられた回路基板と、フレキシブル平面配線材の端部に配置され、前記第１の電極に接続される第２の電極と、前記フレキシブル平面配線材の前記端部に設けられ、前記ハウジングから突出する突起が圧入される第１の孔と、を備える。ここで、前記第１の孔は、前記突起が圧入されるよう、前記突起よりも所定方向の幅が小さくなっている。また、前記第１の孔は、この第１の孔が前記突起に圧入されて前記フレキシブル平面配線材の前記端部が前記回路基板上に載置されると、前記第１の電極と前記第２の電極が互いに向き合うような位置に配置されている。
【０００８】
本態様によれば、第１の孔が突起に圧入されることにより、フレキシブル平面配線材が仮止めされる。よって、仮止めのために両面テープ等を貼り付ける手間を省略でき、フレキシブル平面配線材を接続する際の作業性が向上する。また、第１の孔を突起に圧入する
ことにより、第１の電極と第２の電極が互いに向き合うため、仮止め後の半田付けを円滑に行うことができる。
【０００９】
上記構成において、回路基板には、前記突起が挿入される第２の孔が設けられ得る。この場合、前記突起がこの第２の孔に挿入された後に、前記突起が前記第１の孔に圧入される。
【００１０】
また、この場合、前記突起は、回路基板をハウジングに対して位置決めするためのものであるのが望ましい。こうすると、フレキシブル平面配線材の仮止めのために、別途、突起を設ける必要がなく、構成の簡素化が図られる。また、共通の突起により回路基板とフレキシブル平面配線材の両方が位置決めされるため、回路基板とフレキシブル平面配線材との間の位置関係が適正に保たれる。
【００１１】
また、前記突起は、円柱形状であるのが望ましい。こうすると、圧入の際に、第２の孔の向きと突起の向きとを厳格に位置合わせする必要がないため、第２の孔を突起に円滑に圧入できる。この場合、ハウジングには、突起を中心としたフレキシブル平面配線材の回転を規制するための規制部を設けると良い。こうすると、圧入後のフレキシブル平面配線材の位置が適正化される。
【００１２】
なお、突部として、前記フレキシブル平面配線材の他端に接続される電気部品を前記ハウジングの裏面にネジ留めするためのボスが用いられると、別途突部を設ける必要がないため、構成の簡素化が図られる。
【００１３】
また、フレキシブル平面配線材が載置され、フレキシブル平面配線材の高さを前記回路基板の高さに揃えるための台部が、ハウジングの上面に配されると、第１の電極に対する第２の電極の浮き上がりを抑制でき、半田付けを円滑に行うことができる。
【００１４】
また、突起の天面の幅が第２の孔よりも小さくなるように、突起の端部に傾斜面を形成すると、第２の孔を突起に圧入し易くなる。
【００１５】
本発明の第２の態様は、フレキシブル平面配線材を回路基板に取り付けるための取付構造に関する。本態様に係る取付構造は、ハウジングに固定され、上面に第１の電極が設けられた回路基板と、フレキシブル平面配線材の端部に配置され、前記第１の電極に接続される第２の電極と、前記ハウジングに配置され、前記ハウジングに部品を設置するためのボスと、前記ハウジングに配置され、前記ボスに対向する突部と、を備える。ここで、前記ボスと前記突部の間隔が、前記フレキシブル平面配線材の幅に対応する間隔に設定され、前記フレキシブル平面配線材を前記ボスと前記突部との間に挿入して、前記端部が前記回路基板に載置されると、前記第１の電極と前記第２の電極が互いに向き合うように、前記フレキシブル平面配線材の平面方向の移動が規制される。
【００１６】
フレキシブル平面配線材を回路基板に取り付ける場合には、上記の仮止めとともに、第１の電極と第２の電極の位置合わせにも手間が掛かる。第２の態様によれば、フレキシブル平面配線材をボスと突部との間に挿入して、端部が回路基板に載置されると、第１の電極と第２の電極が互いに向き合うように、フレキシブル平面配線材の平面方向の移動が規制されるため、第１の電極と第２の電極の位置合わせを容易に行うことができ、その後の半田付けを円滑に行うことができる。よって、フレキシブル平面配線材を回路基板に接続する際の作業性が向上する。
【００１７】
本発明の第３の態様は、フレキシブル平面配線材を回路基板に取り付けるための取付構造に関する。本態様に係る取付構造は、ハウジングの上面に固定され、上面に第１の電極
が設けられた回路基板と、フレキシブル平面配線材の端部に配置され、前記第１の電極に接続される第２の電極と、前記ハウジングに設けられ、前記フレキシブル平面配線材が通されることにより、前記フレキシブル平面配線材を、前記ハウジングの裏面側に設置される電気部品へと導く長孔と、前記ハウジングの上面の、前記長孔から前記回路基板側に変位した位置に、前記長孔の長辺に沿うように設けられ、前記ハウジングの裏面側から前記長孔を通って前記回路基板へと向かう前記フレキシブル平面配線材を、前記長孔の前記回路基板側の角から離れるように持ち上げる台部と、を有する。
【００１８】
フレキシブル平面配線材を回路基板に取り付ける場合には、フレキシブル平面配線材を保護しつつ円滑に引き回せるのが望ましい。第３の態様によれば、ハウジングの裏面側から長孔を通って回路基板へと向かうようにフレキシブル平面配線材を引き回す際に、台部によってフレキシブル平面配線材が持ち上げられるため、フレキシブル平面配線材が長孔の角に当ることが抑制され、フレキシブル平面配線材が保護される。なお、台部上面の長孔側の角部分は、長孔側に傾斜するように湾曲または面取りされているのが望ましい。こうすると、長孔を通してフレキシブル平面配線材を滑らかに引き回すことができ、フレキシブル平面配線材を回路基板に接続する際の作業性が向上する。
【００１９】
本発明の第４の態様は、フレキシブル平面配線材を回路基板に取り付けるための取付構造に関する。本態様に係る取付構造は、ハウジングの上面に固定され、上面に第１の電極が設けられた回路基板と、フレキシブル平面配線材の端部に配置され、前記第１の電極に接続される第２の電極と、前記ハウジングに設けられ、前記フレキシブル平面配線材が通されることにより、前記フレキシブル平面配線材を、前記ハウジングの裏面側に設置される電気部品へと導く長孔と、前記ハウジングの上面の、前記長孔から前記回路基板へと向かう径路上に設けられ、前記ハウジングの裏面側から前記長孔を通って前記回路基板へと向かう前記フレキシブル平面配線材の前記端部の高さを、前記ハウジングの上面に固定された前記回路基板の上面の高さに揃えるよう、前記フレキシブル平面配線材を持ち上げる台部と、を有する。
【００２０】
フレキシブル平面配線材を回路基板に取り付ける場合には、上記の仮止めとともに、第１の電極と第２の電極の半田付けを円滑に行えるのが望ましい。第４の態様によれば、フレキシブル平面配線材の端部の高さが回路基板の高さに揃えられるため、端部が回路基板に対して浮き上がることや傾くことが抑制され、第１の電極と第２の電極とを円滑に半田付けすることができる。よって、フレキシブル平面配線材を回路基板に接続する際の作業性が向上する。
【００２１】
本発明の第５の態様は光ピックアップ装置に関する。本態様に係る光ピックアップ装置は、上記第１ないし第４の態様の何れかに係るフレキシブル平面配線材の取付構造と、レーザ光源と、前記レーザ光源から出射されたレーザ光をディスク上に収束させる対物レンズと、前記レーザ光源から出射されたレーザ光の収差を補正するためのレンズを光軸方向に駆動するためのレンズアクチュエータと、前記レンズアクチュエータを駆動するモータと、を備える。前記フレキシブル平面配線材の他端に前記モータが接続される。この態様によれば、上記第１の態様と同様の効果が奏される。
【発明の効果】
【００２２】
以上のとおり、本発明によれば、フレキシブル平面配線材を回路基板に簡便に接続することができ、フレキシブル平面配線材と回路基板との接続作業を効率的に行うことが可能なフレキシブル平面配線材の取付構造およびそれを用いた光ピックアップ装置を提供することができる。
【００２３】
本発明の特徴は、以下に示す実施の形態により更に明らかとなろう。ただし、以下の実
施の形態は、あくまでも本発明の一つの実施形態であって、本発明ないし各構成要件の用語の意義は、以下の実施の形態により何ら制限されるものではない。
【図面の簡単な説明】
【００２４】
【図１】実施の形態に係る光ピックアップ装置の光学系を示す図である。
【図２】実施の形態に係る光ピックアップ装置の構成を示す図である。
【図３】実施の形態に係る回路基板とＦＰＣの構成を示す図である。
【図４】実施の形態に係る光ピックアップ装置の構成を示す図である。
【図５】実施の形態に係るモータ付近の構成を示す図である。
【図６】実施の形態に係るモータ付近の構成を示す図である。
【図７】実施の形態に係る光ピックアップ装置の構成を示す図である。
【図８】実施の形態に係る回路基板とＦＰＣとの接続位置付近の構成を示す図である。
【図９】実施の形態に係るＦＰＣの取付け状態を説明する図である。
【図１０】実施の形態の変更例にＦＰＣの取付構造を説明する図である。
【図１１】実施の形態の変更例にＦＰＣの取付構造を説明する図である。
【発明を実施するための形態】
【００２５】
本実施の形態は、ＢＤ（ブルーレイディスク）、ＣＤ（Compact Disc）およびＤＶＤ（Digital Versatile Disc）にレーザ光を照射する光ピックアップ装置に本発明を適用したものである。
【００２６】
図１に、実施の形態に係る光ピックアップ装置の光学系を示す。図１（ａ）は光学系の上面図、図１（ｂ）は対物レンズアクチュエータ周辺部分を側面側から見た内部透視図、図１（ｃ）は半導体レーザ１０１におけるレーザ素子の配置状態を示す図である。
【００２７】
図１（ａ）を参照して、光ピックアップ装置は、半導体レーザ１０１と、回折格子１０２と、平板状の偏光ビームスプリッタ（ＰＢＳ）１０３と、λ／４板１０４と、コリメータレンズ１０５と、レンズアクチュエータ１０６と、立ち上げミラー１０７と、対物レンズ１０８と、回折光学素子１０９と、光検出器１１０を備える。
【００２８】
半導体レーザ１０１は、波長４００ｎｍ程度のレーザ光（以下、「ＢＤ光」という）と、波長６５０ｎｍ程度のレーザ光（以下、「ＤＶＤ光」という）と、波長７８０ｎｍ程度のレーザ光（以下、「ＣＤ光」という）を同一方向に出射する。
【００２９】
図１（ｂ）に示すように、半導体レーザ１０１は、一つのＣＡＮ内に、ＢＤ光、ＤＶＤ光、ＣＤ光をそれぞれ出射するレーザ素子１０１ａ、１０１ｂ、１０１ｃを備える。レーザ素子１０１ｂ、１０１ｃは、発光点の間隔がｗ２となるように一体的に形成され、レーザ素子１０１ａは、その発光点とレーザ素子１０１ｂの発光点との間隔がｗ１（ｗ１＞ｗ２）となるように形成されている。レーザ素子１０１ａ、１０１ｂ、１０１ｃは、各発光点が一直線上に並ぶように形成されている。半導体レーザ１０１以降の光学系は、その光軸がＤＶＤ光の光軸に整合するように調整されている。
【００３０】
回折格子１０２は、半導体レーザ１０１から出射されたＢＤ光、ＤＶＤ光、ＣＤ光のうちＢＤ光のみをメインビームと２つのサブビームに分割する。ＤＶＤ光とＣＤ光も回折格子１０２による回折作用を受けるが、これら光のサブビームの強度は、極めて小さくなっている。
【００３１】
ＰＢＳ１０３は、回折格子１０２側から入射されたレーザ光を反射する。ＰＢＳ１０３は、薄板状の平行平板となっており、その入射面に、偏光膜が形成されている。半導体レ
ーザ１０１は、ＢＤ光、ＤＶＤ光、ＣＤ光の偏光方向がＰＢＳ１０３に対してＳ偏光となるように配置されている。
【００３２】
λ／４板１０４は、ＰＢＳ１０３によって反射されたレーザ光を円偏光に変換するとともに、ディスクからの反射光を、ディスクへ向かうときの偏光方向に直交する直線偏光に変換する。これにより、ディスクによって反射されたレーザ光はＰＢＳ１０３を透過して光検出器１１０へと導かれる。
【００３３】
コリメータレンズ１０５は、ＰＢＳ１０３によって反射されたレーザ光を平行光に変換する。レンズアクチュエータ１０６は、λ／４板１０４とコリメータレンズ１０５を、コリメータレンズ１０５の光軸方向に駆動する。
【００３４】
レンズアクチュエータ１０６は、移動部材１０６ａと、シャフト１０６ｂと、ギア１０６ｃと、モータ１０６ｄを備える。移動部材１０６ａは、λ／４板１０４とコリメータレンズ１０５を保持している。移動部材１０６ａは、コリメータレンズ１０５の光軸方向に移動可能にシャフト１０６ｂに支持されている。また、移動部材１０６ａにはギア（図示せず）が配され、このギアが、ギア１０６ｃに噛み合っている。ギア１０６ｃは、モータ１０６ｄの駆動軸に連結されている。モータ１０６ｄが駆動されることにより、移動部材１０６ａに保持されたコリメータレンズ１０５がλ／４板１０４とともに移動する。こうして、コリメータレンズ１０５が制御信号に応じて移動されることにより、レーザ光に生じる収差が補正される。
【００３５】
立ち上げミラー１０７は、コリメータレンズ１０５を介して入射されたレーザ光を対物レンズ１０８に向かう方向に反射する。
【００３６】
対物レンズ１０８は、ＢＤ光、ＤＶＤ光、ＣＤ光を対応するディスクの信号面上に適正に収束できるよう設計されている。対物レンズ１０８は、ホルダ１２１に保持され、ホルダ１２１は、対物レンズアクチュエータ１２２によって、フォーカス方向およびトラッキング方向に駆動される。このようにホルダ１２１が駆動されることにより、対物レンズ１０８が、フォーカス方向およびトラッキング方向に駆動される。
【００３７】
ディスクからの反射光は、λ／４板１０４によりＰＢＳ１０３に対してＰ偏光となる直線偏光に変換される。これにより、ディスクからの反射光は、ＰＢＳ１０３を透過する。ＰＢＳ１０３は、ＢＤ光、ＤＶＤ光、ＣＤ光の光軸に対して４５度傾くように配置されている。このため、ＢＤ光、ＤＶＤ光、ＣＤ光が収束状態でＰＢＳ１０３を透過すると、これらの光に非点収差が導入される。
【００３８】
回折光学素子１０９は、ＢＤ光、ＤＶＤ光、ＣＤ光を回折させる。回折光学素子１０９は、ＢＤ光に対しては＋１次の回折効率が高く、ＤＶＤ光、ＣＤ光に対しては０次の回折効率が高くなるよう設計されている。ＢＤ光の＋１次の回折光は、回折光学素子１０９によってＤＶＤ光の光軸に近づく方向に曲げられ、光検出器１１０の受光面上において、ＤＶＤ光の照射位置に照射される。
【００３９】
光検出器１１０には、ＤＶＤ光とＣＤ光の０次の回折光が照射される位置に、それぞれ、４分割センサが配置されている。ＢＤ光のメインビーム（＋１次回折光）は、上記のように回折光学素子１０９により回折されることにより、ＤＶＤ光を受光する４分割センサに照射される。さらに、光検出器１１０には、ＢＤ光の２つのサブビーム（＋１次回折光）が照射される位置に４分割センサが配置されている。光検出器１１０のセンサレイアウトは、各センサからの出力により、再生ＲＦ信号、フォーカスエラー信号、トラッキングエラー信号が生成されるよう設定されている。
【００４０】
図２は、光ピックアップ装置を上側から見たときの斜視図である。図２には、図１の構成のうち、対物レンズ１０８、ホルダ１２１、対物レンズアクチュエータ１２２が示されている。その他の光学系は、ハウジング２００の裏面に装着されている。
【００４１】
ハウジング２００は、ＰＰＳ（ポリフェニレンスルファイド）により形成され、裏側に図１（ａ）の光学系を装着するための凹部が形成されている。ハウジング２００の上面には、回路基板３００（図２には図示せず。図３（ａ）参照）が載置される台座２０１〜２０４が形成されている。台座２０１〜２０４の高さは、互いに等しくなっている。また、台座２０１、２０２に隣接する位置に、上方向に突出する円柱状の突起２０５、２０６が形成されている。さらに、台座２０３、２０４には、回路基板３００をネジ留めするためのネジ穴２０７、２０８が形成されている。
【００４２】
突起２０５の天面２０５ａは、突起２０５の胴部よりも径が小さくなっており、天面２０５ａと胴部とをつなぐように傾斜面２０５ｂが形成されている。同様に、突起２０６の天面２０６ａは、突起２０６の胴部よりも径が小さくなっており、点面２０６ａと胴部とをつなぐように傾斜面２０６ｂが形成されている。
【００４３】
さらに、ハウジング２００の突起２０６近傍には、円柱状のボス２０９が形成され、さらにボス２０９に隣接する位置に、台部２１０と、上下方向に延びる突状２１１が形成されている。ボス２０９は、上面の角が面取されて傾斜面となっている。また、ボス２０９の内部には、ハウジング２００の裏面からボス２０９内に延びるように、ネジ穴２１５（図２には図示せず。図６参照）が形成されている。このネジ穴２１５を介して、図１（ａ）に示すモータ１０６ｄがハウジング２００の裏面に装着される。すなわち、ボス２０９は、ハウジング２００の裏面にモータ１０６ｄを装着するために、ハウジング２００の上面から突出するよう形成されている。
【００４４】
台部２１０は、ボス２０９と突状２１１とを繋ぐように形成されている。台部２１０の上面は、水平な平面となっている。台部２１０の上面の高さは、台座２０１〜２０４に回路基板３００を装着したときの回路基板３００の上面の高さに略一致する。台部２１０の幅方向の両側には、台部２１０の上面からハウジング２００の上面に向かって傾斜する傾斜面が形成されている。
【００４５】
突状２１１は、ボス２０９と向き合うように形成されている。突状２１１のボス２０９に対向する側面は、鉛直方向に平行な平面となっており、この側面の両側に、ボス２０９から離れる方向に傾斜した傾斜面が形成されている。さらに、突状２１１の上面は、角が面取りされている。
【００４６】
後述のように、ＦＰＣ４００（Flexible PrintedCircuits）を回路基板３００に接続する際に、ＦＰＣ４００が、ボス２０９と突状２１１との間に挿入され、台部２１０の上面に載置される。ボス２０９と突状２１１の間隔は、ＦＰＣ４００の幅よりも僅かに大きい。ボス２０９と突状２１１は、上端が面取りされているため、ＦＰＣ４００を、ボス２０９と突状２１１との間に円滑に挿入することができる。
【００４７】
さらに、ハウジング２００の上面には、台部２１２と長孔２１３が形成されている。台部２１２は、平面視において一方向に延びるよう形成され、上面が半円柱状（かまぼこ状）の曲面になっている。台部２１２の高さは、台部２１０の高さと等しい。長孔２１３は、台部２１２に沿うように形成され、ハウジング２００の上面から裏面に貫通している。長孔２１３の長さ方向の寸法は、ＦＰＣ４００の端部４０１（図１には図示せず。図３（ｂ）、図７参照）の幅よりも広くなっている。ＦＰＣ４００を回路基板３００に接続する
際、ＦＰＣ４００の端部４０１が、長孔２１３を通されて、ＦＰＣ４００が台部２１２の上面に載置される。
【００４８】
図３（ａ）は、回路基板３００の構成を示す図である。
【００４９】
回路基板３０１は、たとえば、プリント基板からなっている。回路基板３００には、上面に電気部品やコネクタが設置されている。また、回路基板３００には、ネジ留めのためのＵ字状の切り欠き３０１、３０２が形成され、さらに、突起２０５、２０６が挿入される円形の孔３０３、３０４が形成されている。切り欠き３０１、３０２の幅は、ネジ穴２０７、２０８よりもやや広く、台座２０３、２０４よりも狭い。また、孔３０３、３０４の径は、突起２０５、２０６の径よりも、僅かに大きい。
【００５０】
図３（ｂ）、（ｃ）は、ＦＰＣ４００の構成を示す図である。
【００５１】
図３（ｂ）を参照して、ＦＰＣ４００は、可撓性を持つ材料からなっており、内部を配線が通っている。ＦＰＣ４００は、端部（コネクト部）４０１、４０４が、中間部（配線部）４０６よりも広くなっている。端部４０１には、基板３００側の電極３０５に対応する位置に電極４０２が形成され、さらに、突起２０６が圧入される孔４０３が形成されている。孔４０３は、配線が通っていない位置に形成されている。孔４０３は、長方形の角部が丸められた形状となっている。長辺方向の孔４０３の幅は、突起２０６の径よりも大きく、短辺方向の孔４０３の幅は、突起２０６の径よりも小さく、突起２０６の天面２０６ａの径よりも大きい。端部４０４には、モータ１０６ｄの端子Ｍ（図５参照）が挿入される端子孔４０５が形成されている。端子孔４０５の周縁は、電極が露出している。
【００５２】
図３（ｃ）を参照して、端部４０１の裏面には、端部４０１の略全領域を覆うように、補強板４１０が装着されている。補強板４１０には、孔４０３に対応する位置に孔４１１が形成されている。孔４１１は、突起２０６が孔４０３に圧入される際に孔４０３の周縁が変形し得るように、孔４０３よりも大きく形成されている。孔４１１の短辺方向および長辺方向の幅は、突起２０６の径よりも大きくなっている。
【００５３】
端部４０５の裏面にも、端部４０５の略全領域を覆うように、補強板４２０が装着されている。補強板４２０には、端子孔４０５に対応する位置に孔４２１が形成されている。
【００５４】
図４は、回路基板３００が装着された状態の光ピックアップ装置を上側から見たときの斜視図である。
【００５５】
回路基板３００は、孔３０３、３０４に突起２０５、２０６が挿入されるようにして、上側からハウジング２００の台座２０１〜２０４（図２参照）に載置される。このとき、孔３０３、３０４に突起２０５、２０６が挿入されることにより、回路基板３００がハウジング２００に対して位置決めされる。これにより、切り欠き３０１、３０２（図３（ａ）参照）がネジ穴２０７、２０８（図２参照）の位置に整合する。この状態で、ネジ孔２０７、２０８にネジ３１１、３１２が留められて、回路基板３００がハウジング２００に対して固定される。
【００５６】
この状態で、レンズアクチュエータ１０６がハウジング２００の裏面に装着され、レンズアクチュエータ１０６のモータ１０６ｄに接続されたＦＰＣ４００が回路基板３００に接続される。このとき、ＦＰＣ４００の端部４０１が、ハウジング２００の長孔２１３からハウジング２００の上面に引き出される。
【００５７】
図５は、ハウジング２００に対するレンズアクチュエータ１０６の装着状態を示す図で
ある。
【００５８】
レンズアクチュエータ１０６は、図１（ａ）に示す構成に加え、コイルバネ１０６ｅと、挟持部１０６ｆと、支持板１０６ｇと、ネジ１０６ｈを備えている。また、ハウジング２００は、シャフト１０６ｂに平行に延びるガイド板２１４を備えている。コイルバネ１０６ｅは、シャフト１０６ｂに通されている。挟持部１０６ｆは、ガイド板２１４を挟むように、移動部材１０６ａに形成されている。挟持部１０６ｆとガイド板２１４との間には隙間が設けられている。支持板１０６ｇは、ギア１０６ｃとモータ１０６ｄを支持する。支持板１０６ｇをネジ１０６ｈによりハウジング２００に取り付けることにより、ギア１０６ｃとモータ１０６ｄがハウジング２００に固定される。
【００５９】
さらに、モータ１０６ｄにＦＰＣ４００の端部４０４が接続されている。すなわち、ＦＰＣ４００の端部４０４に形成された４つの端子孔４０５がモータ１０６ｄの４つの端子Ｍに通された状態で、端子孔４０５と端子Ｍとが半田により接続される。なお、図５では、半田の図示が省略されている。そして、ＦＰＣ４００の端部４０１が長孔２１３に通されて、ＦＰＣ４００がハウジング２００の上部に引き出される。
【００６０】
図６は、図５の状態から、移動部材１０６ａと、ギア１０６ｃと、モータ１０６ｄと、支持板１０６ｇと、ネジ１０６ｈとを省略した図である。
【００６１】
ハウジング２００には、ネジ１０６ｈを螺着するためのネジ穴２１５と、モータ１０６ｄを収容するための凹部２１６が形成されている。ネジ穴２１５は、ハウジング２１５の裏面から、ボス２０９（図４参照）の内部へと延びている。
【００６２】
図７は、ＦＰＣ４００が回路基板３００に載置された状態の光ピックアップ装置を上側から見たときの斜視図である。また、図８（ａ）は、ＦＰＣ４００が長孔２１３から引き出される前のハウジング２００を長孔２１３側から見た斜視図、図８（ｂ）は、ＦＰＣ４００が長孔２１３から引き出されて回路基板３００上に載置された状態を長孔２１３側から見た斜視図である。
【００６３】
図７を参照して、長孔２１３から引き出されたＦＰＣ４００は、中間部４０６がボス２０９と突状２１１との間に挿入され、さらに、孔４０３が突起２０６に圧入されて、端部４０１が基板３００上に載置される。このとき、突起２０６を軸とするＦＰＣ４００の回転が、ボス２０９と突状２１１によって規制される。図８（ｂ）に示すように、ボス２０９と突状２１１は、ＦＰＣ４００の幅方向に対向しており、ボス２０９と突状２１１との間の隙間Ｄ１は、中間部４０６の幅よりも少しだけ大きくなっている。また、図７に示す突起２０６とボス２０９は、ＦＰＣ４００の幅方向に対向しており、突起２０６とボス２０９の間隔は、孔４０３から端部４０１のボス２０９側の端縁までの距離よりも少しだけ大きくなっている。このため、突起２０６を軸とするＦＰＣ４００の回転が、ボス２０９と突状２１１によって規制される。
【００６４】
また、図８（ａ）に示すように、台部２１０、２１２の高さは、回路基板３００の上面の高さに略一致する。このため、ＦＰＣ４００は、図８（ｂ）に示すように、中間部４０６と端部４０１が水平すなわち回路基板３００と平行となるように、回路基板３００へと導かれる。また、台部２１２の上面が半円柱形状となっているため、ＦＰＣ４００は、長孔２１３から回路基板３００に向かって滑らかに曲げられる。これによっても、ＦＰＣ４００の水平性が保たれ易くなる。このように、中間部４０６と端部４０１が回路基板３００と平行となるように、回路基板３００へと導かれることにより、端部４０１が回路基板３００に対して浮き上がることや、傾くことが抑制される。また、長孔２１３は、開口周辺に角を有するが、ＦＰＣ４００が台部２１２に沿って滑らかに曲がるため、この曲折部
分が長孔２１３の角に当たることがない。このため、ＦＰＣ４００自体および中間部（配線部）４０６が保護される。
【００６５】
以上のように、孔４０３が突起２０６に圧入されて、端部４０１が基板３００上に載置されると、端部４０１に形成された電極４０２が、回路基板３００側の電極３０５に向き合うようになる。この状態で、電極４０２と電極３０５とが半田付けされることにより、ＦＰＣ４００の回路基板３００に対する接続および固定が完了する。
【００６６】
図９（ａ）、（ｂ）は、図７（ａ）のＡ−Ａ’断面図である。図９（ａ）は、半田が付けられる前の状態を示し、図９（ｂ）は、半田が付けられた後の状態を示す。図９（ｃ）は、孔４０３と突起２０６の関係を示し、図９（ｄ）は、突起２０６が孔４０３に圧入された後の状態を示す。
【００６７】
図９（ｃ）に示すように、孔４０３の短辺方向の幅Ｄ２は、突起２０６の径Ｄ３よりも小さい。このため、突起２０６が孔４０３に圧入されると、図９（ａ）に示すように、孔４０３の周縁部４０１ａが撓み、周縁部４０１ａの復元力によって、周縁部４０１ａが突起２０６の側面に押し付けられる。図９（ｄ）に示すように、周縁部４０１ａは、突起２０６の側面に沿って変形するため、変形した領域において、周縁部４０１ａが突起２０６の側面に押し付けられる。こうして周縁部４０１ａが突起２０６の側面に押し付けられると、周縁部４０１ａと突起２０６の側面との間の摩擦力によって、突起２０６に対する端部４０１の移動が抑制される。これにより、端部４０１が図９（ａ）の位置に仮止めされる。この状態において、図９（ｂ）に示すように、電極４０２と電極３０５との間に半田付けがなされる。これにより、ＦＰＣ４００が回路基板３００に対して、電気的に接続され、固定される。
【００６８】
＜実施形態の効果＞
以上、本実施の形態によれば、孔４０３が突起２０６に圧入されることにより、ＦＰＣ４００がプリント基板３００に対して仮止めされる。よって、仮止めのために両面テープ等を貼り付ける手間を省くことができ、ＦＰＣ４００を接続する際の作業性を高めることができる。また、孔４０３を突起２０６に圧入することにより、電極３０５と電極４０２が互いに向き合うため、仮止め後の半田付けを円滑に行うことができる。
【００６９】
また、本実施の形態によれば、回路基板３００の位置決めのための突起２０６がＦＰＣ４００の仮止めのために共用されるため、別途、ＦＰＣ４００の仮止めのために突起を設ける必要がなく、構成の簡素化が図られる。また、共通の突起２０６によって回路基板３００とＦＰＣ４００の両方が位置決めされるため、回路基板３００とＦＰＣ４００との間の位置関係が適正に保たれる。
【００７０】
また、本実施の形態によれば、突起２０６が円柱形状であるため、圧入の際に、孔４０３と突起２０６とを厳格に位置合わせせずとも、孔４０３を突２０６起に円滑に圧入できる。また、突起２０６の天面２０６ａの径が小さくなっており、天面２０６ａの周りに傾斜面２０６ｂが形成されているため、孔４０３を突起２０６に容易に圧入することができる。
【００７１】
また、本実施の形態によれば、突起２０６を中心としたＦＰＣ４００の回転がボス２０９と突状２１１とによって規制されるため、孔４０３を突起２０６に圧入した後のＦＰＣ４００の位置を適正なものとすることができる。これにより、電極３０５と電極４０２とを正確に向き合わせることができ、仮止め後の半田付けを円滑に行うことができる。
【００７２】
さらに、本実施の形態によれば、台部２１０によって、ＦＰＣ４００の高さが回路基板
３００の高さに揃えられるため、端部４０１が回路基板３００に対して浮き上がることや傾くことが抑制される。さらに、台部２１２によって、ＦＰＣ４００が水平になるように回路基板４００に導かれるため、端部４０１が回路基板３００に対して浮き上がることや傾くことが一層抑制される。よって、電極４０２が電極３０５に対して浮き上がることが抑制され、電極３０５と電極４０２との半田付けを円滑に行うことができる。
【００７３】
また、本実施の形態によれば、ＦＰＣ４００の中間部４０６をボス２０９と突条２１１との間に挿入して、端部４０１が回路基板３００に載置されると、ＦＰＣ４００の平面方向の移動が規制されて、電極３０５と電極４０２が互いに向き合うようになるため、電極３０５と電極４０２の位置合わせを容易に行うことができ、半田付けを円滑に行うことができる。
【００７４】
また、本実施の形態によれば、ハウジング２００の裏面側から長孔２１３を通って回路基板３００へと向かうようにＦＰＣ４００を引き回す際に、台部２１２によってＦＰＣ４００が持ち上げられるため、ＦＰＣ４００が長孔４００の角に当ることが抑制され、ＦＰＣ４００が保護される。また、台部２１２上面が半円柱状（かまぼこ状）になっているため、長孔２１３を通してＦＰＣ４００を滑らかに引き回すことができる。なお、台部２１２の上面は、必ずしも半円柱状でなくても良く、少なくとも長孔２１３側の角部分が長孔２１３側に傾斜するように湾曲または面取りされていれば良い。
【００７５】
以上、本発明の実施の形態について説明したが、本発明は上記実施の形態に何ら制限されるものではなく、また、本発明の実施の形態も上記の他に種々の変更が可能である。
【００７６】
たとえば、上記の実施の形態では、ＦＰＣ４００側の孔４０３を角が丸められた長方形にしたが、突起２０６に圧入されるものであれば、孔４０３は他の形状であっても良い。たとえば、図１０（ａ）のように、突起２０６に圧入される孔４３１を、円形の孔部４３１の両側に２つのスリット４３１ｂが延設される形状としても良い。また、図１０（ｂ）のように、突起２０６に圧入される孔４３２を、円形の孔部４３２ａの周辺に２つの切込み４３２ｂを入れた形状としても良い。なお、切込みは２つに限らず、少なくとも一つの切込みが設けられれば良い。さらに、図１０（ａ）のように、突起２０６に圧入される孔４３３を、角のある長方形としても良い。何れの場合も、孔４３１〜４３３の幅Ｄ２は、突起２０６の径Ｄ３よりも小さく、突起２０６の天面２０６ａの径よりも小さく設定するのが望ましい。また、図１０（ａ）、（ｂ）において、スリット４３１ｂおよび切込み４３２ｂの数は、２つに限らず、１つまたは３つ以上でも良い。
【００７７】
また、上記実施の形態では、周縁部４０１ａの復元力によってＦＰＣ４００の端部４０１が仮止めされたが、図１０（ｅ）のように、突起２０６に括れ部分２０６ｃを設け、図１０（ｄ）のように、この括れ部分２０６ｃに周縁部４０１ａが嵌り込むように構成してもよい。こうすると、ＦＰＣ４００の端部４０１が突起２０６から抜けにくくなり、仮止めを一層確実に行うことができる。なお、図１０（ｅ）のように括れ部分２０６ｃを設ける場合には、括れ部分２０６ｃを上方向にも傾斜させ、周縁部４０１ａがある程度突起２０６から抜け易くするのが望ましい。こうすると、修理等の際に、ＦＰＣ４００を回路基板３００から容易に取り外せるようになる。
【００７８】
また、上記の実施の形態では、突起２０６を円柱形状としたが、孔４０３に圧入されるものであれば、突起２０６は他の形状であっても良い。たとえば、図１１（ａ）に示すように、突起２０６が四角柱形状であっても良く、あるいは、図１１（ｂ）に示すように、突起２０６が八角柱形状であっても良い。
【００７９】
また、ＦＰＣ４００を仮止めするための突起と孔は一対でなくとも良く、２対以上の突
起と孔によって、ＦＰＣ４００を仮止めしても良い。たとえば、図１１（ｃ）に示すように、突起２０６と孔４０３を、ハウジング２００と端部４０１にそれぞれ２ずつ設け、それぞれの孔４０３を対応する突起２０６に圧入することにより、ＦＰＣ４００を仮止めしても良い。ただし、この場合は、２つの孔４０３を突起２０６に圧入する必要があるため、上記実施の形態に比べると、仮止めのための作業がやや煩雑になる。
【００８０】
また、上記実施の形態では、回路基板３００の位置決めのための突起２０６がＦＰＣ４００の仮止めのために共用されたが、別途、ＦＰＣ４００の仮止めのために突起を設けても良い。ただし、この場合は、別途突起が必要となるため、その分、構成が複雑になる。
【００８１】
また、上記実施の形態では、ボス２０９と突条２１１によって、ＦＰＣ４００の幅方向の位置ずれを規制したが、たとえば、壁と突起や、ボスと突起等、ＦＰＣ４００を幅方向に挟む他の構造によって、ＦＰＣ４００の幅方向の位置ずれを規制しても良い。また、ＦＰＣ４００の位置を規制するボス２０９は、モータ１０６ｄを取り付けるためのものであったが、他の部材を取り付けるためのものであっても良い。さらに、上記実施の形態では、ボス２０９によってハウジング２００の裏面側に部材（モータ１０６ｄ）が取りつけられたが、ハウジング２００の上面側に部材を取り付けるためのボスを、ＦＰＣ４００の位置ずれを規制するために共用しても良い。
【００８２】
また、上記実施の形態では、回路基板３００の装着位置の近傍に配置された一つの台部２１０によって、ＦＰＣ４００の端部４０１が、回路基板３００の上面と平行かつ同じ高さとなるように持ち上げられたが、かかる作用を実現するための台部は、一つに限らず、複数設けても良い。さらに、回路基板３００の装着位置と長孔２１３との距離が短い場合には、長孔２１３に沿って配置された台部２１２が、ＦＰＣ４００の端部４０１を回路基板３００の上面と平行かつ同じ高さに持ち上げる作用を発揮するようにしても良い。
【００８３】
さらに、上記実施の形態では、光ピックアップ装置におけるＦＰＣの取り付け構造に本発明が適用されたが、本発明は、光ピックアップ装置以外の装置におけるＦＰＣの取り付け構造にも適用可能である。また、本発明は、ＦＰＣに限らず、ＦＦＣ（Flexible Flat Cable）等、他のフレキシブル平面配線材を回路基板に取り付けるための取付構造にも適
用可能である。
【００８４】
本発明の実施の形態は、特許請求の範囲に示された技術的思想の範囲内において、適宜、種々の変更が可能である。
【符号の説明】
【００８５】
１０１  …  半導体レーザ
１０５  …  コリメータレンズ
１０６  …  レンズアクチュエータ
１０６ｄ  …  モータ（電気部品）
１０８  …  対物レンズ
２００  …  ハウジング
２０６  …  突起
２０６ａ  …  天面
２０６ｂ  …  傾斜面
２０９  …  ボス（規制部、突部）
２１０  …  台部
２１１  …  突条（規制部）
２１２  …  台部
２１３  …  長孔
２１５  …  ネジ穴
３００  …  回路基板
３０４  …  孔（第２の孔）
３０５  …  電極（第１の電極）
４００  …  ＦＰＣ（フレキシブル平面配線材）
４０１  …  端部
４０２  …  電極（第２の電極）
４０３  …  孔（第１の孔）
【図１】
2015026401.tif 000003
【図２】
2015026401.tif 000004
【図３】
2015026401.tif 000005
【図４】
2015026401.tif 000006
【図５】
2015026401.tif 000007
【図６】
2015026401.tif 000008
【図７】
2015026401.tif 000009
【図８】
2015026401.tif 000010
【図９】
2015026401.tif 000011
【図１０】
2015026401.tif 000012
【図１１】
2015026401.tif 000013